(57)【要約】【課題】ペットなどの動物の爪や肉球の間の拭き取り作業や外傷・体内等への処置にあたって安全かつ取扱い容易に使用することができる動物用処置具を提供すること。【解決手段】動物用処置具１０は、軸支部１７を有し、軸支部１７にて互いに回動自在に支持された一対の本体部１１，１２と、軸支部１７よりも一対の本体部１１，１２の基端側に配された操作部１３と、軸支部１７よりも一対の本体部１１，１２の先端側に配されて軸支部１７を基点に開閉する一対の把持部材１８，２０を有する処置部１５と、を備え、湾曲する第一湾曲部２１が操作部１３と軸支部１７との間に配され、第一湾曲部２１の反対側に湾曲する第二湾曲部２２が処置部１５の途中に配される。【選択図】図２
0003196402.tif 000002
【実用新案登録請求の範囲】
【請求項１】
軸支部を有し、該軸支部にて互いに回動自在に支持された一対の本体部と、
前記軸支部よりも前記一対の本体部の基端側に配された操作部と、
前記軸支部よりも前記一対の本体部の先端側に配されて前記軸支部を基点に開閉する一対の把持部材を有する処置部と、
を備え、
湾曲する第一湾曲部が前記操作部と前記軸支部との間に配され、
前記第一湾曲部の反対側に湾曲する第二湾曲部が前記第一湾曲部よりも前記一対の本体部の先端側又は前記処置部に配される動物用処置具。
【請求項２】
前記操作部が同一平面上に配された一対の環状部を備え、
前記操作部と前記軸支部との間が、前記一対の環状部によって形成される第一平面と前記第一湾曲部にて交差する第二平面上に、前記第一平面から離間する方向に伸びるように配され、
前記第二湾曲部よりも先端側が、前記第二平面と前記第二湾曲部にて交差する第三平面上に、前記第二平面から離間する方向に伸びるように配される請求項１に記載の動物用処置具。
【請求項３】
前記第一湾曲部の曲率と前記第二湾曲部の曲率とが異なる請求項１又は２に記載の動物用処置具。
【請求項４】
前記本体部の一方に基端側が接続されて先端側が前記本体部の他方側に向かって伸び、前記一対の把持部材を閉じる操作の途中で前記本体部の他方側に先端が当接して付勢されることにより前記操作を規制する弾性部材を備える請求項１から３の何れか一つに記載の動物用処置具。
【考案の詳細な説明】
【技術分野】
【０００１】
本考案は、動物用処置具に関する。
【背景技術】
【０００２】
犬および猫等のペット動物を散歩などで外出させた後、ペットの足に付いた汚れを落とすために、洗浄水が入った容器にペットの足を入れて洗浄するものが知られている（例えば、特許文献１参照。）。
【０００３】
しかし、爪や肉球の間に入った汚れまでをきれいに洗い落とすのはなかなか困難であるため、指にタオルやガーゼ等を巻いて、或いは、ピンセット等でタオルやガーゼ等を挟んで爪や肉球の間に入れて拭いて汚れを落とすことも多い。
【０００４】
また、爪や肉球に限らず、例えば動物の体表面にできた傷や口腔内等、動物に対して何等かの手当を施す場合も同様にピンセット等でタオルやガーゼ等を挟んで処置を行うことがある。
【先行技術文献】
【特許文献】
【０００５】
【特許文献１】特開２０１４−０６８６０９号公報
【考案の概要】
【考案が解決しようとする課題】
【０００６】
しかしながら、爪や肉球が小さい場合には、飼い主の指先がそれらの間までなかなか入らないため、拭き残しが生じてしまう。また、ピンセット等で挟んで拭く場合、力の入れ加減や拭き方によっては、ピンセット等の先が爪や肉球の間に直接当たってペットに怪我をさせてしまうこともある。さらに、外傷などに対して処置する場合には、ピンセット等の先端が傷口をさらに広げてしまわないように注意して把持した上で処置を行う必要があり、取扱いが大変である。
【０００７】
本考案は上記事情に鑑みて成されたものであり、ペットなどの動物の爪や肉球の間の拭き取り作業や外傷・体内等への処置にあたって安全かつ取扱い容易に使用することができる動物用処置具を提供することを目的とする。
【課題を解決するための手段】
【０００８】
本考案は、上記課題を解決するため、以下の手段を採用する。
本考案に係る動物用処置具は、軸支部を有し、該軸支部にて互いに回動自在に支持された一対の本体部と、前記軸支部よりも前記一対の本体部の基端側に配された操作部と、前記軸支部よりも前記一対の本体部の先端側に配されて前記軸支部を基点に開閉する一対の把持部材を有する処置部と、を備え、湾曲する第一湾曲部が前記操作部と前記軸支部との間に配され、前記第一湾曲部の反対側に湾曲する第二湾曲部が前記第一湾曲部よりも前記一対の本体部の先端側又は前記処置部に配される。
【０００９】
この考案では、一対の本体部の操作部側の中心軸線と処置部の少なくとも先端側の中心軸線とが一致しない。よって、処置部に脱脂綿等を挟んだ状態で操作部を掴みながら爪の間や肉球の間を該脱脂綿等で磨く際、両者が一致する場合よりも安全に磨いたり手当したりすることができる。
【００１０】
また、本考案に係る動物用処置具は、前記操作部が同一平面上に配された一対の環状部を備え、前記操作部と前記軸支部との間が、前記一対の環状部によって形成される第一平面と前記第一湾曲部にて交差する第二平面上に、前記第一平面から離間する方向に伸びるように配され、前記第二湾曲部よりも先端側が、前記第二平面と前記第二湾曲部にて交差する第三平面上に、前記第二平面から離間する方向に伸びるように配される。
【００１１】
この考案では、操作部と処置部とが互いに離間して異なる平面上に配される。よって、処置部による処置位置に対してより好適な位置で操作部を操作することができる。
【００１２】
また、本考案に係る動物用処置具は、前記第一湾曲部の曲率と前記第二湾曲部の曲率とが異なるものでもよい。
【００１３】
この考案は、一対の本体部の操作部側の中心軸線と処置部の少なくとも先端側の中心軸線とが交差する。よって、操作部を一対の本体部の中心軸線方向に移動しても処置部は斜め方向に進むため、爪や肉球の間や身体を誤って穿刺するリスクを減らしてより安全に磨いたり手当したりすることができる。
【００１４】
また、本考案に係る動物用処置具は、前記本体部の一方に基端側が接続されて先端側が前記本体部の他方側に向かって伸び、前記一対の把持部材を閉じる操作の途中で前記本体部の他方側に先端が当接して付勢されることにより前記操作を規制する弾性部材を備えるものでもよい。
【００１５】
この考案は、処置部に脱脂綿等を挟む際に一対の把持部材を閉じる操作を途中で規制するので、一対の把持部材を閉じるための力加減を調整しやすくなり、脱脂綿等を好適な握力にて把持することができる。
【考案の効果】
【００１６】
本考案によれば、一対の把持部材間に脱脂綿等を挟んだ状態でペットなどの動物の爪や肉球の間の拭き取り作業や外傷・体内等への処置にあたって安全かつ取扱い容易に使用することができる。
【図面の簡単な説明】
【００１７】
【図１】本考案の一実施形態に係る動物用処置具を示す平面図である。
【図２】本考案の一実施形態に係る動物用処置具を示す斜視図である。
【図３】本考案の一実施形態に係る動物用処置具を示す側面図である。
【図４】本考案の一実施形態に係る動物用処置具を閉じた状態示す平面図である。
【考案を実施するための形態】
【００１８】
本考案に係る一実施形態について、図１から図４を参照して説明する。
本実施形態に係る動物用処置具１０は、図１に示すように、一対の本体部１１，１２と、操作部１３と、処置部１５と、弾性部材１６と、を備えている。
【００１９】
一対の本体部１１，１２は、先端側に配された軸支部１７を有し、この軸支部１７にて互いに回動自在に支持されている。
【００２０】
操作部１３は、一対の本体部１１，１２の基端側に配されており、使用者の指が入る程度に形成されて同一平面上に配された一対の環状部１４Ａ，１４Ｂを備えている。図２に示すように、第一平面Ｆ１が一対の環状部１４Ａ，１４Ｂによって形成されている。
【００２１】
処置部１５は、一対の本体部１１，１２の軸支部１７よりもそれぞれ先端側に配されて軸支部１７を基点に開閉する一対の把持部材１８，２０を備えている。一対の把持部材１８，２０の対向面は把持しやすいように凹凸面が形成されている。
【００２２】
一対の本体部１１，１２の軸支部１７と操作部１３との間の途中部分には、図２及び図３に示すように、所定の曲率にて湾曲した第一湾曲部２１が配されている。そして、処置部１５の途中には、第一湾曲部２１の反対側に湾曲する第二湾曲部２２が配されている。
【００２３】
ここで、図２に示すように、一対の本体部１１，１２の軸支部１７と操作部１３との間の途中部分は、第一湾曲部２１にて第一平面Ｆ１と交差する第二平面Ｆ２上に、第一平面Ｆ１から離間する方向に伸びるように配される。また、処置部１５の第二湾曲部２２よりも先端側部分は、第二湾曲部２２にて第二平面Ｆ２と交差する第三平面Ｆ３上に、第二平面Ｆ２から離間する方向に伸びるように配される。すなわち、操作部１３と処置部１５とは互いに離間した異なる平面上に配される。
【００２４】
ここで、第一湾曲部２１の曲率と第二湾曲部２２の曲率とは異なるよう形成されている。そのため、図３に示すように、一対の本体部１１，１２の操作部１３側の中心軸線Ｃ１と処置部１５の少なくとも先端側の中心軸線Ｃ２とが交差している。
【００２５】
弾性部材１６は、基端側が本体部１１に接続された状態から先端側が本体部１２の他方側に向かって湾曲しながら伸びている。そして、一対の把持部材１８，２０を閉じる操作の途中で第一湾曲部２１よりも操作部１３側で弾性部材１６の先端が本体部１２に当接する長さに形成されている。
【００２６】
すなわち、図１に示すように弾性部材１６の先端が本体部１２に当接した状態から図４に示す状態になるまで操作部１３をさらに閉じようとすると弾性部材１６が付勢されるため、操作部１３を閉じる操作が規制される。なお、弾性部材１６の先端は、本体部１２の側面と係合して本体部１２と当接した際にずれないように凹状に形成されている。
【００２７】
次に本実施形態に係る動物用処置具１０の作用について説明する。
脱脂綿等を把持する際には、操作部１３の一対の環状部１４Ａ，１４Ｂにそれぞれ指を入れて一対の本体部１１，１２の基端側を互いに離間させることにより、先端側の処置部１５の一対の把持部材１８，２０を開く。
【００２８】
ここで一対の把持部材１８，２０間に脱脂綿等を挿入する。挿入後、操作部１３を操作して一対の把持部材１８，２０を閉じる操作の途中で本体部１２の側面に弾性部材１６の先端が当接する。この際、弾性部材１６が閉じる操作を規制するため、脱脂綿等を把持するためには、さらに力を入れて一対の把持部材１８，２０を閉じる。
【００２９】
こうして脱脂綿等が把持された処置部１５を犬や猫の肉球や爪の間に近づけ、内部に挿入する。この際、操作部１３を動物の足に押し付ける方向に一対の本体部１１，１２を移動しても処置部１５は爪の間や肉球の間をそのまま前進せずに操作部１３に対して斜め方向にずれる状態で磨くことになる。
【００３０】
この動物用処置具１０によれば、処置部１５に脱脂綿等を挟んだ状態で操作部１３を掴みながら動物の爪の間や肉球の間を脱脂綿等で磨く際、爪や肉球の間に処置部１５の先端を穿刺することなく安心して磨くことができる。
【００３１】
また、弾性部材１６が付勢されることによって処置部１５を一定以上閉じる操作が規制されるので、脱脂綿等を把持する力をより好適に調整することができる。
【００３２】
なお、本考案の技術範囲は上記実施の形態に限定されるものではなく、本考案の趣旨を逸脱しない範囲において種々の変更を加えることが可能である。
例えば、上記実施形態では第一湾曲部２１の曲率と第二湾曲部２２の曲率とが異なるよう形成されているとしているが、同一であってもよい。この場合、中心軸線Ｃ１，Ｃ２が平行になるものの、操作部１３と処置部１５とが互いに異なる平面上に配されるため、両者が一致する場合よりも安全に磨くことができる。
【００３３】
また、上記実施形態では、第二湾曲部２２が処置部１５に配されているとしているが、第一湾曲部２１よりも先端側であれば、処置部１５よりも操作部１３側となる一対の本体部１１，１２に第二湾曲部が配されていても構わない。
【００３４】
さらに、上記実施形態では、動物用処置具１０が弾性部材１６を備えているとしているが、必ずしも備える必要はなく、弾性部材１６がなくても構わない。
【符号の説明】
【００３５】
１０  動物用処置具
１１，１２  一対の本体部
１３  操作部
１４Ａ，１４Ｂ  一対の環状部
１５  処置部
１６  弾性部材
１７  軸支部
１８，２０  一対の把持部材
２１  第一湾曲部
２２  第二湾曲部
Ｆ１  第一平面
Ｆ２  第二平面
Ｆ３  第三平面
【図１】
0003196402.tif 000003
【図２】
0003196402.tif 000004
【図３】
0003196402.tif 000005
【図４】
0003196402.tif 000006